(57)【要約】      （修正有）【課題】留め具締結用ツールに関し、脆弱部の切断時の反力により、装填した留め具が外れるのを防止することができる。【解決手段】ツール10には、供給路81に支持された留め具列40を一方向に移送する移送機構82、供給路81に支持された留め具列40の脆弱部を切断する切断機構83、移送機構82の移送方向の前方であって、供給路81の最前列に隣接して位置する装填部において、切断機構83により切断された留め具を１個保持する装填部材52、装填部材52を前後退させるスライド機構53、装填部材52に装填された留め具の雄部材200を押し込むことで、脚部の外径を拡径させる押し込み機構54を備える。切断機構83は、最前列の留め具を１列目と数え、その次列に位置する２列目以降の留め具の脆弱部を切断するようにしている。【選択図】図１
2012000633.tif 000002
【特許請求の範囲】
【請求項１】
フランジ部と当該フランジ部から垂下する脚部とを有する雌部材と、
前記フランジ部から前記脚部に向かって押し込むことで、前記脚部の外径を拡径可能な雄部材とを備える留め具であって、
前記脚部を同一方向に向けて、隣り合う前記フランジ部同士を脆弱部を介して連結することで、複数個の留め具を数珠繋ぎにつないだ留め具列とし、
前記留め具列をスライド可能に一列に支持する供給路と、
前記供給路に支持された前記留め具列を一方向に移送する移送機構と、
前記供給路に支持された前記留め具列の脆弱部を切断する切断機構と、
前記移送機構の移送方向の前方であって、前記供給路の最前列に隣接して位置する装填部において、前記切断機構により切断された留め具を１個保持する装填部材と、
前記装填部材を前後退させるスライド機構と、
前記装填部材に装填された留め具の雄部材を押し込むことで、前記脚部の外径を拡径させる押し込み機構とを備える留め具締結用ツールにおいて、
前記切断機構は、
前記最前列の留め具を１列目と数え、その次列に位置する２列目以降の留め具の脆弱部を切断するようにしていることを特徴とする留め具締結用ツール。
【請求項２】
請求項１に記載の留め具締結用ツールであって、
前記雌部材と雌部材との間には、
雄ねじ部と、当該雄ねじ部をねじ込む雌ねじ部とのいずれか一方をそれぞれに形成し、
前記押し込み機構は、
前記雄部材を押し込む際に、当該雄部材をねじ込むようにしていることを特徴とする留め具締結用ツール。
【請求項３】
請求項１又は請求項２に記載の留め具締結用ツールであって、
前記切断機構は、
前記１列目の留め具と、前記２列目の留め具との間の脆弱部を切断するようにしていることを特徴とする留め具締結用ツール。
【請求項４】
請求項２に記載の留め具締結用ツールであって、
前記脚部には、
前記雄部材がねじ込まれた際に、前記脚部の内部を前記フランジ部に向かって進行することで、当該脚部の外径を拡径可能な巻上部材を備えていることを特徴とする留め具締結用ツール。
【発明の詳細な説明】
【技術分野】
【０００１】
この発明は、留め具締結用ツールに関し、脆弱部の切断時の反力により、装填した留め具が外れるのを防止することができるようにしたものである。
【背景技術】
【０００２】
本出願人には、雄部材を雌部材に向かって押し込むことで雌部材を拡径させる留め具（特許文献１）や、リベット締結用エアーツール（特許文献２）を既に提案している。
【先行技術文献】
【特許文献】
【０００３】
【特許文献１】特開2010-43728号公報
【特許文献２】特開2010-29939号公報
【発明の概要】
【発明が解決しようとする課題】
【０００４】
しかし、留め具の締結用ツールは、無く、当該ツールが要望されていた。
すなわち、上記したリベット締結用エアーツールは、リベットの薄肉の脆弱部を引きちぎって装填するものであった（特許文献２の段落番号「０１０２」参照）。
しかし、留め具は、上記したリベット締結用エアーツールに用いるリベットと異なり、構造が複雑であり、大型化するため、脆弱部の肉厚も比較的、厚くなり、引きちぎるのが困難であり、切断する必要があった。
【０００５】
しかし、留め具の締結用ツールでは、脆弱部の切断時の反力により、既に装填した留め具が外れる可能性があった。
そこで、各請求項にそれぞれ記載された各発明は、上記した要望に鑑みてなされたものであり、その目的とするところは、次の点にある。
（請求項１）
請求項１に記載の発明は、次の点を目的とする。
【０００６】
請求項１に記載の発明は、脆弱部の切断時の反力により、装填した留め具が外れるのを防止することができるようにしたものである。
すなわち、請求項１に記載の発明は、装填前に脆弱部を切断することにより、切断による反力が装填時に作用しないようにし、留め具を確実に装填できるようにしたものである。
（請求項２）
請求項２に記載の発明は、上記した請求項１に記載の発明の目的に加え、次の点を目的とする。
【０００７】
すなわち、請求項２に記載の発明は、雄部材を雌部材に向かってねじ込むことで雌部材を拡径させる留め具に適合したツールを提供することができるようにしたものである。
（請求項３）
請求項３に記載の発明は、上記した請求項１又は請求項２に記載の発明の目的に加え、次の点を目的とする。
【０００８】
すなわち、請求項３に記載の発明は、切断機構を適切な位置に配置することができるようにしたものである。
（請求項４）
請求項４に記載の発明は、上記した請求項２に記載の発明の目的に加え、次の点を目的とする。
【０００９】
すなわち、請求項４に記載の発明は、巻上部材を備えた留め具に適合したツールを提供することができるようにしたものである。
【課題を解決するための手段】
【００１０】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１１】
第１に、留め具(20)には、例えば図８〜１４に示すように、次の構成を備える。
（１）雌部材(100)
雌部材(100)は、例えば図８〜１４に示すように、フランジ部(110)と当該フランジ部(110)から垂下する脚部(120)とを有する。
（２）雄部材(200)
雄部材(200)は、例えば図８〜１４に示すように、フランジ部(110)から脚部(120)に向かって押し込むことで、脚部(120)の外径を拡径可能なものである（例えば図１４参照）。
【００１２】
なお、留め具(20)として、「発明を実施するための形態」の欄及び図１０〜１４において、雄部材(200)を雌部材(100)の巻上部材(140)にねじ込み、これにより巻上部材(140)を介して雌部材(100)を拡径させる、いわゆる「巻き上げ式スクリューグロメット」を例に挙げて説明したが、これに限定されない。留め具(20)は、例えば巻上部材(140)を省き、雄部材(200)を雌部材(100)に直接、ねじ込む一般的ないわゆる「スクリューグロメット」や、締結時にのみ雄部材(200)を押圧して雌部材(100)を拡径させ、解除時に雄部材(200)を捻回することで、雌部材(100)を復元させるいわゆる「スクリベ」や、或いはネジ構造を有さず、１回目の押圧により雌部材(100)を拡径させ、２回目の押圧により雌部材(100)を復元させて、締結状態を解除可能な「プッシュプッシュリベット」や、同じくネジ構造を有さず、締結時にのみ雄部材(200)を押圧して雌部材(100)を拡径させ、解除時に雄部材(200)を引っ張ることで、雌部材(100)を復元させて、締結状態を解除可能ないわゆる「プッシュプルリベット」でも良い。
【００１３】
第２に、例えば図８及び図９に示すように、脚部(120)を同一方向に向けて、隣り合うフランジ部(110)同士を脆弱部(41)を介して連結することで、複数個の留め具(20)を数珠繋ぎにつないだ留め具列(40)とする。
第３に、留め具締結用ツール(10)には、例えば図１、図３、図８及び図９に示すように、次の構成を備える。
【００１４】
（３）供給路(81)
供給路(81)は、例えば図１及び図３に示すように、留め具列(40)をスライド可能に一列に支持するものである。
（４）移送機構(82)
移送機構(82)は、例えば図１及び図３に示すように、供給路(81)に支持された留め具列(40)を一方向に移送するものである。
【００１５】
（５）切断機構(83)
切断機構(83)は、例えば図１、図３、図８及び図９に示すように、供給路(81)に支持された留め具列(40)の脆弱部(41)を切断するものである。
（６）装填部材(52)
装填部材(52)は、例えば図１及び図３に示すように、移送機構(82)の移送方向の前方であって、供給路(81)の最前列に隣接して位置する装填部(51)において、切断機構(83)により切断された留め具(20)を１個保持するものである。
【００１６】
（７）スライド機構(53)
スライド機構(53)は、例えば図１及び図３に示すように、装填部材(52)を前後退させるものである。
（８）押し込み機構(54)
押し込み機構(54)は、例えば図１及び図３に示すように、装填部材(52)に装填された留め具(20)の雄部材(200)を押し込むことで、脚部(120)の外径を拡径させるものである（例えば図１４参照）。
【００１７】
第４に、切断機構(83)は、例えば図８及び図９に示すように、最前列の留め具(20)を１列目と数え、その次列に位置する２列目以降の留め具(20)の脆弱部(41)を切断するようにしている。
（請求項２）
請求項２に記載の発明は、上記した請求項１に記載の発明の特徴点に加え、次の点を特徴とする。
【００１８】
第１に、雌部材(100)と雌部材(100)との間には、例えば図１３及び図１４に示すように、雄ねじ部(221)と、当該雄ねじ部(221)をねじ込む雌ねじ部(142)とのいずれか一方をそれぞれに形成している。
第２に、押し込み機構(54)は、例えば図１３及び図１４に示すように、雄部材(200)を押し込む際に、当該雄部材(200)をねじ込むようにしている。
（請求項３）
請求項３に記載の発明は、上記した請求項１又は請求項２に記載の発明の特徴点に加え、次の点を特徴とする。
【００１９】
すなわち、切断機構(83)は、例えば図８及び図９に示すように、１列目の留め具(20)と、２列目の留め具(20)との間の脆弱部(41)を切断するようにしている。
（請求項４）
請求項４に記載の発明は、上記した請求項２に記載の発明の特徴点に加え、次の点を特徴とする。
【００２０】
すなわち、脚部(120)には、例えば図８及び図９に示すように、雄部材(200)がねじ込まれた際に、脚部(120)の内部をフランジ部(110)に向かって進行することで、当該脚部(120)の外径を拡径可能な巻上部材(140)を備えている。
【発明の効果】
【００２１】
本発明は、以上のように構成されているので、以下に記載されるような効果を奏する。
（請求項１）
請求項１に記載の発明によれば、次のような効果を奏する。
すなわち、請求項１に記載の発明によれば、脆弱部の切断時の反力により、装填した留め具が外れるのを防止することができる。
【００２２】
すなわち、請求項１に記載の発明によれば、装填前に脆弱部を切断することにより、切断による反力が装填時に作用しないようにし、留め具を確実に装填できる。
（請求項２）
請求項２に記載の発明によれば、上記した請求項１に記載の発明の効果に加え、次のような効果を奏する。
【００２３】
すなわち、請求項２に記載の発明によれば、雄部材を雌部材に向かってねじ込むことで雌部材を拡径させる留め具に適合したツールを提供することができる。
（請求項３）
請求項３に記載の発明によれば、上記した請求項１又は請求項２に記載の発明の効果に加え、次のような効果を奏する。
【００２４】
すなわち、請求項３に記載の発明によれば、切断機構を適切な位置に配置することができる。
（請求項４）
請求項４に記載の発明によれば、上記した請求項２に記載の発明の効果に加え、次のような効果を奏する。
【００２５】
すなわち、請求項４に記載の発明によれば、巻上部材を備えた留め具に適合したツールを提供することができる。
【図面の簡単な説明】
【００２６】
【図１】留め具締結用ツールの一部の斜視図である。
【図２】ツールの外観を説明するための斜視図である。
【図３】ツールの内部構造を説明するための斜視図である。
【図４】図３に対応し、留め具を装填した装填部材の前進状態を説明するための斜視図である。
【図５】図４に対応し、留め具が外れた装填部材の前進状態を説明するための斜視図である。
【図６】図３の一部を拡大した斜視図である。
【図７】図５の一部を拡大した斜視図である。
【図８】留め具列と切断機構との関係を説明するための概略斜視図である。
【図９】図８に対応し、切断機構による切断状態を説明するための概略斜視図である。
【図１０】留め具の基本的構成例の斜視図である。
【図１１】留め具の基本的構成例の斜視図である。
【図１２】図１２の（ａ）は、留め具の基本的構成例の正面図、（ｂ）は同右側面図、（ｃ）は同平面図、（ｄ）は同底面図である。
【図１３】留め具の基本的構成例の使用状態を示した断面図である。（中間部分の拡開前の状態）
【図１４】留め具の基本的構成例の使用状態を示した断面図である。（中間部分の拡開後の状態）
【発明を実施するための形態】
【００２７】
（留め具締結用ツール10）
図１〜７中、10は、留め具締結用ツールを示し、当該ツール10は、留め具20を、図１４に示すように、対象物、例えば重合した２枚のパネル30,31に貫通状に形成した取付穴30a,30bに挿入し、２枚のパネル30,31を重合した状態に締結するためのものである。
なお、対象物として、２枚のパネル30,31を例示したが、これらに限定されない。
【００２８】
ツール10は、図２に示すように、全体がピストル型に形成され、外観上、大別すると、図１〜７に示すように、次のパーツや各部を備える。
なお、次の（１）〜（６）については、後述する。
（１）留め具列40
（２）ツール本体部50
（３）グリップ部60
（４）操作部70,71
（５）供給部80
（６）電源部90
なお、ツール10のパーツや各部は、上記した（１）〜（６）に限定されない。
（留め具列40）
留め具列40は、図８に示すように、複数個の留め具20を数珠繋ぎにつないだものである。
【００２９】
留め具20は、図８〜１４に示すように、大別すると、次のパーツを備える。
なお、留め具20のパーツは、次の（１）及び（２）に限定されない。
（１）雌部材100
雌部材100は、図８〜１４に示すように、フランジ部110と、当該フランジ部110から垂下する脚部120とを有する。
【００３０】
脚部120には、雄部材200がねじ込まれた際に、脚部120の内部をフランジ部110に向かって進行することで、当該脚部120の外径を拡径可能な巻上部材30を備えている。
（２）雄部材200
雄部材200は、図８〜１４に示すように、フランジ部110から脚部120に向かって押し込むことで、脚部120の外径を拡径可能なものである。
【００３１】
雄部材200は、頭部210と、当該頭部210から垂下する軸部220とを有する。
頭部210には、図１０、図１２及び図１３に示すように、ドライバ等の工具の先端を収める操作用孔211が形成されている。
軸部220の外周には、図１３及び図１４に示すように、雄ねじ部221が形成されている。これに対し、巻上部材30の内周には、雄ねじ部221をねじ込む可能な雌ねじ部142が形成されている。
【００３２】
なお、留め具20として、雄部材200を雌部材100の巻上部材140にねじ込み、これにより巻上部材140を介して雌部材100を拡径させる、いわゆる「巻き上げ式スクリューグロメット」を例に挙げて説明したが、これに限定されない。留め具20は、例えば巻上部材140を省き、雄部材200を雌部材100に直接、ねじ込む一般的ないわゆる「スクリューグロメット」や、締結時にのみ雄部材200を押圧して雌部材100を拡径させ、解除時に雄部材200を捻回することで、雌部材100を復元させるいわゆる「スクリベ」や、或いはネジ構造を有さず、１回目の押圧により雌部材100を拡径させ、２回目の押圧により雌部材100を復元させて、締結状態を解除可能な「プッシュプッシュリベット」や、同じくネジ構造を有さず、締結時にのみ雄部材200を押圧して雌部材100を拡径させ、解除時に雄部材200を引っ張ることで、雌部材100を復元させて、締結状態を解除可能ないわゆる「プッシュプルリベット」でも良い。
【００３３】
一方、留め具列40は、図８に示すように、脚部120を同一方向に向けて、隣り合うフランジ部110同士を脆弱部41を介して連結することで、複数個の留め具20を数珠繋ぎにつないで構成している。
脆弱部41は、円盤形のフランジ部110の外周から直径方向に延び、その横幅を細く、又、肉厚も薄く形成され、隣り合うフランジ部110の外周同士をつなぐものである。脆弱部41は、留め具20と樹脂により一体成形される。
【００３４】
なお、留め具20の構造については、前掲したように本出願人の先の出願（特開2010-43728号公報）で開示したが、図１０〜１４を用いて後述する。
（ツール本体部50）
ツール本体部50は、図１〜７に示すように、留め具列40の１個の留め具20を装填し、当該留め具20を２枚のパネル30,31に打ち込むものである（図１３及び図１４参照）。
【００３５】
具体的には、ツール本体部50には、図１〜７に示すように、大別すると、次の各部を備える。
（１）装填部51
装填部51は、図３及び図６に示すように、ツール本体部50に内蔵され、後述する移送機構82の移送方向の前方であって、同じく後述する供給路81の最前列に隣接して位置するものである。
【００３６】
（２）装填部材52
装填部材52は、図３及び図６に示すように、ツール本体部50に内蔵され、装填部51において、後述する切断機構83により切断された留め具20を１個保持するものである。
具体的には、装填部材52は、留め具20のフランジ部110を保持している。
（３）スライド機構53
スライド機構53は、図１〜７に示すように、ツール本体部50に内蔵され、装填部材52を前後退させるものである。
【００３７】
（４）押し込み機構54
押し込み機構54は、図１〜７に示すように、ツール本体部50に内蔵され、装填部材52に装填された留め具20の雄部材200を雌部材100に向かって押し込むことで、雌部材100の脚部120の外径を拡径させるものである（図１３及び図１４参照）。
具体的には、押し込み機構54は、雄部材200を押し込む際に、当該雄部材200をねじ込むようにしている。
【００３８】
すなわち、押し込み機構54には、雄部材200の頭部210の操作用孔211に適合した先端部を有し、当該先端部を操作用孔211にはめ込んだ状態で回転することにより、雄部材200をねじ込むようにしている。
（５）モータ55
モータ55は、図３に示すように、ツール本体部50に内蔵され、スライド機構53、押し込み機構54、後述する移送機構82、及び同じく後述する切断機構83を駆動するためのものである。
【００３９】
なお、モータ55は、駆動源の一例であり、これに限定されず、電磁プランジャを用いたり、空圧、油圧による駆動機構、或いはエンジン等を用いても良い。
（６）先端カバー56
先端カバー56は、図１〜７に示すように、装填部51の周囲を覆うものである。
（７）先端筒57
先端筒57は、図１〜７に示すように、先端カバー56から筒型に延び、その先端開口から装填部51からスライド機構53により前進させた留め具20を打ち込むためのものである。
（グリップ部60）
グリップ部60は、図２〜５に示すように、ツール本体部50の後方から下方に向かって延び、手で握れるグリップ型に形成され、ツール10を保持するためのものである。
（操作部70,71）
操作部70,71は、スライド機構53、押し込み機構54、移送機構82、切断機構83の各種の操作を行うためのものである。
【００４０】
具体的には、操作部70,71は、図２〜５に示すように、グリップ部60に引き金形に設けられた第１操作部70と、第１操作部70の後ろ側に位置し、ツール本体部50の側面に設けられた第２操作部71とから構成されている。
第１操作部70は、押し込み機構54の作動用、すなわち留め具20の雄部材200の回転操作用のものである。第２操作部71は、スライド機構53、移送機構82、切断機構83の作動用、すなわち留め具20の移送操作用のものである。
【００４１】
なお、操作部70,71として、２個を例示したが、これに限定されず、単数或いは３個以上設けても良い。
（供給部80）
供給部80は、図１〜７に示すように、留め具列40を装着するためのものであり、ツール本体部50の前方から下方に向かって延び、後述する電源部90を介してグリップ部60にループ状につながっている。
【００４２】
供給部80には、図１〜９に示すように、大別すると、次の各部を備える。
（１）供給路81
供給路81は、図１〜７に示すように、留め具列40をスライド可能に一列に支持するものである。
具体的には、供給路81は、脆弱部41を介して連結された留め具20の雌部材100のフランジ部110の外周であって、脆弱部41を中心にして両側に位置する外周部分をスライド可能に保持している。供給路81は、上端が前述した装填部51に向かって解放し、又、下端も解放し、解放下端から留め具列40を下から上に向かって一列にスライドさせながら装着する。
【００４３】
（２）移送機構82
移送機構82は、図１〜７に示すように、供給路81に支持された留め具列40を一方向に移送するものである。
具体的には、移送機構82は、下方から上方に向かって、留め具列40の留め具20を１個ずつ移送するものである。移送機構82により移送された留め具20は、供給路81の解放上端から装填部51に１個ずつ移送される。
【００４４】
（３）切断機構83
切断機構83は、図１〜９に示すように、供給路81に支持された留め具列40の脆弱部41を切断するものである。
切断機構83は、図８及び図９に示すように、最前列の留め具20を１列目と数え、その次列に位置する２列目以降の留め具20の脆弱部41を切断するようにしている。
【００４５】
具体的には、切断機構83は、１列目の留め具20と、２列目の留め具20との間の脆弱部41を、脆弱部41の厚み方向にカッターをスライドさせることで押し切っている。すなわち、切断機構83であるカッターを、雌部材100のフランジ部110側から脚部120側に向かってスライドさせている。
なお、切断機構83として、カッターを例示したが、これに限定されず、ハサミを用いても良い。また、脆弱部41の切断方向として、脆弱部41の厚み方向にカッターをスライドさせたが、これに限定されず、脆弱部41の横幅方向にカッターをスライドさせたり、或いはハサミを用いる場合にも、脆弱部41の厚み方向から切断しても良いし、脆弱部41の横幅方向から切断するようにしても良い。
（電源部90）
電源部90は、図２〜５に示すように、ツール10の下側に位置し、グリップ部60と供給路81をつなぐように位置している。電源部90は、バッテリィから構成され、モータ55に電源を供給するものである。
【００４６】
なお、電源部90として、バッテリィを例示したが、これに限定されない。
（ツール10の使用方法）
上記した構成を有するツール10の使用方法について説明する。
第１に、留め具列40を、図２に示すように、ツール10の供給路81に装填する。
第２に、第２操作部71を操作して移送機構82を駆動させ、留め具列40の先頭の留め具20を、供給路81の最前列、すなわち上端部まで移送する。
【００４７】
第３に、図８及び図９に示すように、切断機構83であるカッターを前進させ、供給路81の最前列を１列目と数え、当該１列目の留め具20と２列目の留め具20との間の脆弱部41を切断する。なお、カッターは、前進後、再度、後退させ、供給路81から待避させる。
第３に、脆弱部41が切断されている留め具20を、移送機構82により、供給路81の最前列から装填部51に移送し、図３及び図６に示すように、その雌部材100のフランジ部110を装填部材52により保持する。
【００４８】
第４に、装填部材52をスライド機構53により前進させ、図１及び図４に示すように、先端筒57から雌部材100の脚部120を突出させる。
第５に、脚部120を、図１３に示すように、２枚のパネル30,31の取付穴30a,30bに一連に挿入する。
第６に、第１操作部70を操作して押し込み機構54を駆動させ、雄部材200の頭部210を回転させる。頭部210が回転すると、軸部220の雄ねじ部221と、巻上部材30の雌ねじ部142とのかみ合いにより、図１４に示すように、巻上部材30が脚部120の内部をフランジ部110に向かって進行することで、当該脚部120がパネル31の裏側で拡径する。このため、留め具20を介して２枚のパネル30,31が重合状態に締結される。
【００４９】
第７に、ツール10を、パネル30から引き離すと、パネル30と留め具20との締結力が、装填部材52の保持力より勝っていることから、図５及び図７に示すように、留め具20が装填部材52から外れる。なお、装填部材52は、次に第２操作部71を操作した際に、スライド機構53により後退し、装填部51に待機する。
（留め具20）
つぎに、図１０〜１４を用いて、留め具20の詳細について説明する。
【００５０】
留め具20は、フランジ部110と脚部120とを備えた雌部材100を有している。図示の例では、前記螺進操作により前記拡開を生じさせる雄部材200をかかる雌部材100にあらかじめ組み合わせて留め具20を構成させている。図示の例では、かかる留め具20は、雌部材100のフランジ部110が入り込まない大きさをもって形成された取付穴30a,30bに対し雌部材100の脚部120を入れ込ませた後のかかる雄部材200の螺進操作によってこの脚部120の一部を拡開させて、かかる拡開された脚部120の一部とフランジ部110との間でパネル30,31を表裏（或いは前後、或いはまた内外、或いはまた上下、或いはまた左右）から挟み込んでこのパネル30,31に留め付くようになっている。図示の例では、雌部材100にかかる拡開機能を持たせるために、かかる雌部材100はプラスチック製とされている。雄部材200は頭部210と、雄ねじ部221を持った軸部220とを備えたものであり、典型的にはプラスチック製或いは金属製とされる。
（雄部材200）
図示の例では、かかる雄部材200は、円板状をなす頭部210と、この頭部210の一面側のその中央に軸基部222を一体に連接させた軸部220とから構成されている。かかる頭部210の他面側にはドライバ等の工具の先端を収める操作用孔211が形成されている。
（雌部材100）
一方、雌部材100は、図示の例では、フランジ部110を円板状とし、脚部120を中空の角筒状をなすように構成させている。フランジ部110の外径より脚部120は細く構成されている。脚部120はその筒一端をフランジ部110の一面側のその中央に一体に連接させている。フランジ部110にはこのようにフランジ部110に連接された脚部120の内部に連通する貫通穴111が形成されている。フランジ部110の他面側には、かかる貫通穴111を内側に位置させて周回立ち上がり部112が形成されている。この周回立ち上がり部112の内径は雄部材200の頭部210の径に略等しくなっており、雄部材200はこの周回立ち上がり部112内に頭部210を納めるようにして、フランジ部110の貫通穴111を通じて脚部120内にその軸部220を入れ込ませて雌部材100に組み合わされている。
【００５１】
雌部材100の脚部120は、巻上部材140と脚本体130とに区分されている。巻上部材140は、前記フランジ部110側から入れ込まれた雄部材200の螺進操作によりフランジ部110側に移動されるように構成されている。脚本体130は、かかる巻上部材140とフランジ部110との間にあって、この螺進操作によってフランジ部110側に移動される巻上部材140を内側に入り込ませて拡開されるように構成されている。
（脚本体130）
図示の例では、脚本体130は、脚部120の軸線ｘ（図１２（ａ）／中心線）に直交する向きの断面において、内外面共に略正方形の輪郭を備えるように構成されている。この脚本体130の内側は雄部材200の軸部220の太さよりも広くなっている。また、かかる脚本体130の四隅にはそれぞれ、脚部120の軸線ｘに沿ってスリット131が形成されており、かかる脚本体130における巻上部材140側に位置される筒一端133とフランジ部110との連接側に位置される筒他端134とに亘るかかるスリット131によって脚本体130は四枚の板片132に分割されている。雌部材100のフランジ部110の貫通穴111はかかる脚本体130の内側の輪郭に倣った方形穴となっている。なお、図示の例では、かかるフランジ部110にこの貫通穴111の対向位置にある一対の隅部に連通して前記周回立ち上がり部112の形成位置に続く分岐割溝113が形成されている（図１２（ｄ））。
（巻上部材140）
巻上部材140は、内側に雄部材200の軸部220の通し孔141を備えている。図示の例では、この通し孔141には雄部材200の軸部220の雄ねじ部221に対応した雌ねじ部142が形成されている。図示の例では、雄部材200はその軸端部223側を、前記螺進操作前の状態において、この巻上部材140の雌ねじ部142に雄ねじ部221を噛み合わせて巻上部材140内に位置させている。このように巻上部材140の内側に雌ねじ部142を形成させておけば、前記螺進操作によって、巻上部材140を脚本体130の内側にスムースに入り込ませることができる。図示の例とは別に、巻上部材140の内側にこのような雌ねじ部142を形成させない場合には、雌部材100にあらかじめ雄部材200を組み合わせないでおき、パネル30,31の取付穴30a,30bに雌部材100の脚部120を入れ込ませた状態からこの雌部材100にタッピンねじとしての雄部材200をねじ込みこの雄部材200のねじ込み（螺進）によって巻上部材140を脚本体130の内側に入り込ませてこの脚本体130の拡開によるパネル30,31への留め付けをなすようにする。
【００５２】
図示の例では、巻上部材140の外面は、脚部120の軸線ｘに直交する向きの断面において、この軸線方向のいずれの位置においても、略正方形の輪郭形状を持つように構成されている。すなわち、巻上部材140は、前記スリット131により区分された脚本体130の四枚の板片132のそれぞれに対応した外面143を備えている。また、巻上部材140は、脚本体130の内側の広さと略等しい太さを備えてこの脚本体130の筒一端133の内側に入り込んだ筒一端145を有すると共に、脚本体130の外側の太さと略等しい太さを備えた筒他端146とを有している。図示の例では、かかる巻上部材140と脚本体130とは、巻上部材140の筒一端145の外面143と脚本体130の筒一端133の内面136との間に架設される薄肉連接部150を介して、連接され合わされている（図１３）。また、図示の例では、巻上部材140の外側には、巻上部材140の四つの隅部のうちの対向位置にある一対の隅部にそれぞれ、脚部120の軸線ｘに沿ったリブ状をなすガイド部147が形成されている。このガイド部147の一端は巻上部材140の筒一端145よりも雌部材100のフランジ部110側に位置され、前記螺進操作前の状態において、このガイド部147の一端は脚本体130のスリット131に入り込んでいる。そして、かかる螺進操作により巻上部材140が脚本体130の内側により入り込む向きに移動されると、つまり、雌部材100のフランジ部110側に向けて移動されると、このガイド部147はスリット131にガイドされてこのスリット131に沿って移動されるようになっている。
【００５３】
そして、この実施の形態にあっては、雌部材100の脚部120の脚本体130の前記拡開時においてこの脚本体130の拡開箇所135の内面136に接する巻上部材140の外面143が、この拡開箇所135の内面136に倣った形状を持つように構成されている。具体的には、かかる脚部120の脚本体130の拡開時においてこの脚本体130の拡開箇所135の内面136に接する巻上部材140の外面143が、この拡開箇所135の内面の湾曲に倣った湾曲を持った湾曲面144となっている（図１４）。図示の例では、巻上部材140の四つの外面143はそれぞれ、その筒一端145側から筒他端146側に向かうに連れて次第に巻上部材140を太める向きに湾曲した湾曲面144を有している。
（留め具20の使用方法）
留め具20の脚部120の取付穴30a,30bを備えたパネル30,31の、この取付穴30a,30bに脚部120を入れ込ませた後、雄部材200を螺進操作、つまり、雌部材100のフランジ部110側よりもより先に雄部材200が回りながら入り込む向きに雄部材200を操作させると、巻上部材140がフランジ部110側に近づく向きに移動され、このように移動される巻上部材140に内側から押されて脚本体130が拡開される。これにより留め具20はそのフランジ部110と拡開箇所135との間でパネル30,31を挟み込んでこのパネル30,31に留め付く。この留め付き状態において、巻上部材140の外面143は脚本体130の拡開箇所135の内面136に倣った形状を持つことから、両面143,136間にできる限り隙間を生じさせないようにこの両面143,136を脚部120の軸線ｘ方向に亘って面的に接触させることができる（図１４）。これにより、パネル30,31にかかる軸線ｘに交叉する向きの力が作用された場合であっても、典型的には、留め具20を介して留め合わされる二つのパネル30,31の一方又は双方にこうした向きの力が作用されたときでも、この力の向きにこれらパネル30,31の一方又は双方を移動させないようにすることができ、かかるパネル30,31のガタつき少ない留め合わせをなすことができる。図示の例では、雄部材200の軸部220の軸基部222は雄ねじ部221の形成箇所に比べてやや太く構成されており、前記留め付け状態において脚本体130とこの軸基部222との間の隙間を小さくして前記ガタつきの減少に寄与するようにしている。
【００５４】
図示の例では、雌部材100の脚部120は、先ずこの脚部120の外側の輪郭に倣った方形状をなすパネル30,31の取付穴30a,30bに入れ込まれる（図１３）。次いで雄部材200を螺進操作させるとその頭部210は雌部材100のフランジ部110に引っかかるので雄部材200自体はフランジ部110よりより先に入り込む向きには移動しないが、巻上部材140はフランジ部110に近づく向きの移動力を受ける。巻上部材140は前記ガイド部147により雄部材200との連れ回りが阻止されて前記スリット131にガイドされての移動のみが許容されることから、雄部材200の螺進操作により薄肉連接部150が破断されると共に、巻上部材140は徐々にフランジ部110側に向けて移動され、これにより脚本体130は拡開される（図１４）。
【００５５】
前記雌部材100の全体をプラスチック製とせずに、かかる巻上部材140は金属により構成させておくこともできる。この場合には、巻上部材140と脚本体130とを連接させる前記薄肉連接部150は設けず、両部分140,130は別体とされる。巻上部材140を金属製とした場合、前記螺進操作時に雄部材200の雄ねじ部221が巻上部材140の雌ねじ部142を潰してしまう事態を生じ難くできることから、かかる螺進操作により巻上部材140をフランジ部110側に十分に移動させて脚本体130を適切に拡開させることができる。また、かかる巻上部材140に形成させたガイド部147の剛性を高めることができ、雌部材100を小型化させた場合にも、前記螺進操作時に前記スリット131にガイドされるこのガイド部147をもって巻上部材140の前記連れ回りを確実に阻止することができる。
【００５６】
かかるパネル30,31への留め具20の留め付き状態は、雄部材200を螺退操作することで解除させることができる。図１４の状態から雄部材200を螺退操作すると、巻上部材140は脚本体130を拡開させた状態でこの脚本体130の内側に嵌り込んでいることから、雌部材100内から徐々に雄部材200が抜け出す。前記螺進操作により巻上部材140をフランジ部110側に移動させた寸法分雄部材200を螺退させた状態から雄部材200を雌部材100内に押し込むと巻上部材140は脚本体130から螺進操作前の位置に抜け戻り脚本体130の拡開状態は解かれることからパネル30,31への留め具20の留め付き状態は解除される。
【符号の説明】
【００５７】
10  留め具締結用ツール            20  留め具
30,31  パネル                     30a,31a  取付穴
40  留め具列                      41  脆弱部
50  ツール本体部
51  装填部                        52  装填部材
53  スライド機構                  54  押し込み機構
55  モータ                        56  先端カバー
57  先端筒
60  グリップ部
70  第１操作部                    71  第２操作部
80  供給部
81  供給路                        82  移送機構
83  切断機構                      90  電源部
100  雌部材                       110  フランジ部
111  貫通穴                       112  周回立ち上がり部
113  分岐割溝
120  脚部                         130  脚本体
131  スリット                     132  板片
133  筒一端                       134  筒他端
135  拡開箇所                     136  内面
140  巻上部材
141  通し孔                       142  雌ねじ部
143  外面                         144  湾曲面
145  筒一端                       146  筒他端
147  ガイド部
150  薄肉連接部                   200  雄部材
210  頭部                         211  操作用孔
220  軸部
221  雄ねじ部                     222  軸基部
223  軸端部
【図１】
2012000633.tif 000003
【図２】
2012000633.tif 000004
【図３】
2012000633.tif 000005
【図４】
2012000633.tif 000006
【図５】
2012000633.tif 000007
【図６】
2012000633.tif 000008
【図７】
2012000633.tif 000009
【図８】
2012000633.tif 000010
【図９】
2012000633.tif 000011
【図１０】
2012000633.tif 000012
【図１１】
2012000633.tif 000013
【図１２】
2012000633.tif 000014
【図１３】
2012000633.tif 000015
【図１４】
2012000633.tif 000016